(57)【要約】【課題】  回路規模を増大させることなく、周囲雑音を好適に低減することができるディジタル受信装置を提供する。【解決手段】  ＦＳＫディジタル受信装置１０は、所望信号を連続的に受信する受信状態において、検出部１８ｂにより特定信号を検出してこの検出期間を無通信状態期間として設定する。ＦＳＫディジタル受信装置１０は、設定された無通信状態期間においてフィルタ係数を逐次更新しつつ周囲雑音を除去する適応モードと、受信状態の前記無通信状態期間を除く期間においてフィルタ係数の更新を停止する非適応モードとを有する第２ノイズ除去部１７と、第２ノイズ除去部１７の適応モード及び非適応モードを切り替え制御するフィルタ制御部１８ｃとを備えている。【選択図】      図１
2005086779.tif 000002
【特許請求の範囲】
【請求項１】
所望信号を連続的に受信する受信状態において、特定信号を検出する検出手段と、
前記特定信号の検出期間を無通信状態期間として設定する設定手段と、
前記設定された無通信状態期間において、フィルタ係数を逐次更新しつつ周囲雑音を除去する適応モードと、
前記受信状態の前記無通信状態期間を除く期間において、前記フィルタ係数の更新を停止する非適応モードと、
を有する適応フィルタと、
前記適応フィルタの前記適応モード及び前記非適応モードを切り替え制御するフィルタ制御手段とを備えたことを特徴とするディジタル受信装置。
【請求項２】
請求項１に記載のディジタル受信装置において、
前記特定信号は、無信号状態であることを特徴とし、無信号状態期間において、フィルタ係数を逐次更新し、周囲雑音を除去することを特徴とするディジタル受信装置。
【請求項３】
請求項１に記載のディジタル受信装置において、
前記特定信号は、無変調信号送信状態であることを特徴とし、無変調信号送信状態期間において、フィルタ係数を逐次更新し、周囲雑音を除去することを特徴とするディジタル受信装置。
【請求項４】
請求項１に記載のディジタル受信装置において、
前記特定信号は、同期信号又は予め定められた所定コードであることを特徴とし、該特定信号の検出期間において、フィルタ係数を逐次更新し、周囲雑音を除去することを特徴とするディジタル受信装置。
【請求項５】
請求項１〜４のいずれか１項に示す周囲雑音を除去する目的で設定される無通信状態期間を設定する無線通信システムにおいて、該無通信状態期間に切り替えられる旨を受信装置側に知らせることを目的とした情報コードを備えることを特徴とし、当該情報コード送信後、無通信状態期間が一定期間で挿入されることを特徴とする無線通信システム。
【発明の詳細な説明】
【技術分野】
【０００１】
本発明は、ディジタル受信装置及び無線通信システムに関するものである。
【背景技術】
【０００２】
従来、ディジタル受信装置としては、例えば特許文献１に記載された相関性のあるノイズ信号（周囲雑音）を除去する構成を備えたものが知られている。図３は、特許文献１のディジタル受信装置７０を一般化して示すブロック図である。同図に示されるように、このディジタル受信装置７０は、周囲雑音として相関性のあるノイズ信号Ｎが混入する所望信号Ｓを、一方のアンテナ７１で受信する。そして、ディジタル受信装置７０は、受信した信号を高周波処理部７２において所望の周波数帯域にダウンコンバートし、更にＡ／Ｄ変換部７３においてＡ／Ｄ変換することで対応するディジタル信号（Ｓ”＋Ｎ”）を生成して、ノイズ除去部７４へと出力する。また、ディジタル受信装置７０は、ノイズ信号Ｎを他方のアンテナ７５で受信する。そして、ディジタル受信装置７０は、受信した信号を参照ノイズ信号出力部７６の高周波処理部７７において所望の周波数帯域にダウンコンバートし、更にＡ／Ｄ変換部７８においてＡ／Ｄ変換することでノイズ信号Ｎと相関性のある参照ノイズ信号Ｎｒを生成して、ノイズ除去部７４へと出力する。
【０００３】
ノイズ除去部７４は、参照ノイズ信号Ｎｒをもとに適応フィルタ部７９を介してノイズキャンセル信号ＡＮを生成し、これとアンテナ７１側からの入力信号（Ｓ”＋Ｎ”）とを加算器８０で加えることでノイズ信号Ｎを除去する。なお、適応フィルタ部７９のフィルタ係数は、フィルタ係数更新部８１によりノイズ信号Ｎ（Ｎ”）が最も低減されるように逐次更新されている。
【特許文献１】特開２００１−４７３６号公報（第４図）
【発明の開示】
【発明が解決しようとする課題】
【０００４】
ところで、特許文献１のディジタル受信装置７０では、ノイズ信号Ｎを受信するためにアンテナ７５及び参照ノイズ信号出力部７６（高周波処理部７７、Ａ／Ｄ変換部７８）が必要になるため、回路規模の増大を余儀なくされる。また、アンテナ７５側に所望信号Ｓを入力させないための工夫が必要となる。これは、仮にアンテナ７５側に所望信号Ｓが入力されると、適応フィルタ部７９において所望信号Ｓもノイズキャンセル信号ＡＮとして生成されることになり、所望信号Ｓが除去されてしまう場合があるためである。
【０００５】
本発明の目的は、回路規模を増大させることなく、周囲雑音を好適に低減することができるディジタル受信装置及び無線通信システムを提供することにある。
【課題を解決するための手段】
【０００６】
上記問題点を解決するために、請求項１に記載の発明は、所望信号を連続的に受信する受信状態において、特定信号を検出する検出手段と、前記特定信号の検出期間を無通信状態期間として設定する設定手段と、前記設定された無通信状態期間において、フィルタ係数を逐次更新しつつ周囲雑音を除去する適応モードと、前記受信状態の前記無通信状態期間を除く期間において、前記フィルタ係数の更新を停止する非適応モードと、を有する適応フィルタと、前記適応フィルタの前記適応モード及び前記非適応モードを切り替え制御するフィルタ制御手段とを備えたことを要旨とする。
【０００７】
請求項２に記載の発明は、請求項１に記載のディジタル受信装置において、前記特定信号は、無信号状態であることを特徴とし、無信号状態期間において、フィルタ係数を逐次更新し、周囲雑音を除去することを要旨とする。
【０００８】
請求項３に記載の発明は、請求項１に記載のディジタル受信装置において、前記特定信号は、無変調信号送信状態であることを特徴とし、無変調信号送信状態期間において、フィルタ係数を逐次更新し、周囲雑音を除去することを要旨とする。
【０００９】
請求項４に記載の発明は、請求項１に記載のディジタル受信装置において、前記特定信号は、同期信号又は予め定められた所定コードであることを特徴とし、該特定信号の検出期間において、フィルタ係数を逐次更新し、周囲雑音を除去することを要旨とする。
【００１０】
請求項５に記載の発明は、請求項１〜４のいずれか１項に示す周囲雑音を除去する目的で設定される無通信状態期間を設定する無線通信システムにおいて、該無通信状態期間に切り替えられる旨を受信装置側に知らせることを目的とした情報コードを備えることを特徴とし、当該情報コード送信後、無通信状態期間が一定期間で挿入されることを要旨とする。
【００１１】
（作用）
請求項１に記載の発明によれば、所望信号を連続的に受信する受信状態において、特定信号の検出期間が無通信状態期間として設定される。このとき、適応フィルタは、その適応モードに対応してフィルタ係数を逐次更新しつつ周囲雑音を除去する。一方、上記受信状態の無通信状態期間を除く期間では、適応フィルタは、その非適応モードに対応してフィルタ係数の更新を停止する。すなわち、非適応モードでは、適応フィルタは、適応モードにおいて周囲雑音を除去すべく更新したフィルタ係数を利用して周囲雑音を除去する。従って、所望信号を連続的に受信する環境下（受信状態）で使用される場合であっても、上記無通信状態期間を意図的に設けることで当該期間での適応フィルタによる周囲雑音の学習が可能となる。そして、上記受信状態の無通信状態期間を除く期間では、周囲雑音及び所望信号が相関性を有していても適応フィルタによって周囲雑音のみが除去され、所望信号が好適に受信される。また、周囲雑音及び所望信号が相関性を有するとしても、フィルタ制御手段により適応モード及び非適応モードを切り替え制御することでこれらの選択的な受信が可能であり、例えばこれら周囲雑音及び所望信号を個別に受信しうる回路構成を採用する場合に比べて回路規模が縮小される。
【００１２】
請求項２に記載の発明によれば、特定信号は無信号状態であり、無信号状態期間において、フィルタ係数を逐次更新し、周囲雑音を除去することができる。
請求項３に記載の発明によれば、特定信号は無変調信号送信状態であり、無変調信号送信状態期間において、フィルタ係数を逐次更新し、周囲雑音を除去することができる。
【００１３】
請求項４に記載の発明によれば、特定信号は同期信号又は予め定められた所定コードであり、その検出期間において、フィルタ係数を逐次更新し、周囲雑音を除去することができる。
【００１４】
請求項５に記載の発明によれば、無線通信システムは、無通信状態期間に切り替えられる旨を受信装置側に知らせることを目的とした情報コードを備え、当該情報コード送信後、無通信状態期間が一定期間で挿入される。従って、受信装置側は、この情報コードを基準にその後に一定期間で挿入される無通信状態期間にてフィルタ係数を逐次更新し、周囲雑音を除去することができる。
【発明の効果】
【００１５】
以上詳述したように、請求項１乃至５に記載の発明では、回路規模を増大させることなく、周囲雑音を好適に低減することができる。
【発明を実施するための最良の形態】
【００１６】
以下、本発明を具体化した一実施形態を図１に従って説明する。
図１は、ＦＳＫ（Frequency Shift Keying）ディジタル受信装置１０を示すシステムブロック図である。このＦＳＫディジタル受信装置１０は、例えば利用者が所有する送信機からの信号（以下、所望信号という）を受信するためのものである。これらＦＳＫディジタル受信装置１０及び送信機によって無線通信システムが構成される。従って、ＦＳＫディジタル受信装置１０の動作モードには、所望信号を連続的に受信する受信状態と、同所望信号の受信待機状態とがある。そして、本実施形態のＦＳＫディジタル受信装置１０では、所望信号の受信状態において送信機側から送信される後述の特定信号を受信・検出することで、当該検出期間を無通信状態期間として設定する。この無通信状態期間の設定のために送信機が特定信号を送信する間は、情報の送受に係る通信が中断されるように規定されている。
【００１７】
同図に示されるように、ＦＳＫディジタル受信装置１０は、アンテナ１１と、第１周波数変換部１２と、Ａ／Ｄ変換部１３と、第２周波数変換部１４と、帯域制限部１５と、第１ノイズ除去部１６と、第２ノイズ除去部１７と、処理部１８とを備えている。
【００１８】
アンテナ１１は、基本的に所望信号を入力するために構成されているが、所望信号の受信状態において上記無通信状態期間を除いた期間ではこれに併せて周囲雑音が入力される。また、所望信号の受信状態における上記無通信状態期間と、所望信号の受信待機状態とでは周囲雑音が入力されることになる。
【００１９】
第１周波数変換部１２は、アンテナ１１からの入力信号を周波数変換して中間周波数信号を生成し、これをＡ／Ｄ変換部１３に出力する。Ａ／Ｄ変換部１３は、第１周波数変換部１２からの信号をＡ／Ｄ変換して、離散化ディジタル信号を生成する。そして、Ａ／Ｄ変換部１３は、この離散化ディジタル信号を第２周波数変換部１４に出力する。
【００２０】
第２周波数変換部１４は、Ａ／Ｄ変換部１３からの信号を周波数変換してベースバンド信号を生成し、これを帯域制限部１５に出力する。帯域制限部１５は、第２周波数変換部１４からの信号の帯域制限を行って帯域制限信号を生成し、これを受信信号ｘ１として第１ノイズ除去部１６に出力する。この受信信号ｘ１には、少なくとも周囲雑音がノイズ信号として含まれている。
【００２１】
第１ノイズ除去部１６は、帯域制限部１５からの受信信号ｘ１に混入する周囲雑音のうち相関性のない雑音（例えば、ホワイトノイズ等）を低減させるための適応フィルタとして構成されている。この第１ノイズ除去部１６は、混入する相関性のある雑音の変化に伴いフィルタ係数が変化する第１適応フィルタ部１６ａと、同雑音を最も低減するように第１適応フィルタ部１６ａのフィルタ係数を逐次更新する第１フィルタ係数更新部１６ｂとを有している。第１ノイズ除去部１６では、帯域制限部１５からの受信信号ｘ１が第１適応フィルタ部１６ａに入力される。第１ノイズ除去部１６は、帯域制限部１５からの受信信号ｘ１と第１適応フィルタ部１６ａを介した同信号とに基づき、誤差演算部１６ｃにおいて誤差信号ｅ１を生成し、これを第１フィルタ係数更新部１６ｂに出力することで第１適応フィルタ部１６ａの特性を最適化する。これにより、第１ノイズ除去部１６は、帯域制限部１５からの受信信号ｘ１に混入する周囲雑音のうち相関性のない雑音を除去した抽出信号ｘ２を生成し、これを第２ノイズ除去部１７に出力する。従って、第２ノイズ除去部１７に出力される抽出信号ｘ２は、相関性のある雑音（例えば、安定妨害波などの固定ノイズ等）となっている。
【００２２】
第２ノイズ除去部１７は、所望信号の受信状態における上記無通信状態期間と、所望信号の受信待機状態とにおいて第１ノイズ除去部１６からの抽出信号ｘ２を相関性のある雑音として除去するための適応フィルタとして構成されている。この第２ノイズ除去部１７は、抽出信号ｘ２の変化に伴いフィルタ係数が変化する第２適応フィルタ部１７ａと、同信号を除去するように第２適応フィルタ部１７ａのフィルタ係数を逐次更新する第２フィルタ係数更新部１７ｂとを有している。
【００２３】
第１ノイズ除去部１６からの抽出信号ｘ２が第２適応フィルタ部１７ａに入力されると、第２ノイズ除去部１７は、第２適応フィルタ部１７ａを介した信号に基づき、誤差演算部１７ｃにおいて誤差信号ｅ２を生成する。そして、第２ノイズ除去部１７は、この誤差信号ｅ２を第２フィルタ係数更新部１７ｂに出力することで第２適応フィルタ部１７ａの特性を最適化する（適応モード）。これにより、第２ノイズ除去部１７は、所望信号の受信状態における上記無通信状態期間と、所望信号の受信待機状態とにおいて第１ノイズ除去部１６からの抽出信号ｘ２を相関性のある雑音として除去し、これを処理部１８に出力する。従って、処理部１８に出力される信号（誤差信号ｅ２）は、基本的に零レベルの信号となっている。
【００２４】
ここで、第２ノイズ除去部１７は、周囲雑音の変化時や所望信号の受信時など誤差信号ｅ２の著しい変化が処理部１８において新規信号として検出されると、同処理部１８により第２フィルタ係数更新部１７ｂでのフィルタ係数の更新が停止されるようになっている（非適応モード）。すなわち、第２ノイズ除去部１７の第２適応フィルタ部１７ａでは、新規信号の検出直前の最後のフィルタ係数が保持される。また、所望信号の受信状態における上記無通信状態期間では、同処理部１８により第２フィルタ係数更新部１７ｂでのフィルタ係数の更新が再開されるようになっている。すなわち、第２ノイズ除去部１７の第２適応フィルタ部１７ａでは、上記無通信状態期間が終了するまでフィルタ係数が更新され、同終了時には直前の最後のフィルタ係数が保持される。従って、所望信号の受信状態の上記無通信状態期間を除いた期間において、第２ノイズ除去部１７は、基本的に受信待機状態に対応する相関性のある信号若しくは上記無通信状態期間に対応する相関性のある信号を相関性のある雑音として除去し、残りの信号を安定妨害波除去後の抽出信号として処理部１８に出力する。
【００２５】
前記処理部１８は、信号処理部１８ａと、検出部１８ｂと、フィルタ制御部１８ｃと、復調部１８ｄと、特定コードを記憶保持する記憶部１８ｅとを備えている。信号処理部１８ａは、第２ノイズ除去部１７の誤差演算部１７ｃからの信号（誤差信号ｅ２）を入力してその自己相関を算出し、相関信号としてそれぞれ検出部１８ｂ及び復調部１８ｄに出力する。
【００２６】
検出部１８ｂは、信号処理部１８ａからの相関信号に基づき、所望信号の存在を検出する。そして、検出部１８ｂは、この検出した所望信号の存在を図示しない外部回路へと出力する。特に、検出部１８ｂは、所望信号の受信時など誤差信号ｅ２が著しく変化すると、これを新規信号として検出してその時点でこれを表す検出信号をフィルタ制御部１８ｃに出力する。このとき、フィルタ制御部１８ｃは、第２フィルタ係数更新部１７ｂにフィルタ制御信号を出力することでそれによるフィルタ係数の更新を停止する。一方、フィルタ制御部１８ｃは、検出部１８ｂからの検出信号の入力がなければ第２フィルタ係数更新部１７ｂによるのフィルタ係数の更新を許容する。
【００２７】
さらに、検出部１８ｂは、所望信号の存在の検出後、すなわち所望信号の受信状態において送信機側から送信される特定信号を検出することで、無通信状態期間の設定を表す信号をフィルタ制御部１８ｃに出力する。このとき、フィルタ制御部１８ｃは、第２フィルタ係数更新部１７ｂにフィルタ制御信号を出力することでそれによるフィルタ係数の更新を再開させる。送信機による特定信号の送信中には、情報の送受に係る通信が中断されることは既述のとおりである。
【００２８】
ここで、送信機側から送信される特定信号と、検出部１８ｂによるその検出について説明する。本実施形態では、無通信状態期間の設定条件として送信機側からの信号（電波）が停止される状態（特定信号が無信号状態）がある。検出部１８ｂでは、この無信号状態に対応する信号のユニーク性若しくは非ユニーク性を判断して特定信号を検出する。図２（ａ）は、特定信号が無信号状態であるときの送信機側及び受信装置側の動作を示すタイミングチャートである。同図に示したように、送信機側の送信信号が通信信号（所望信号）のときには、受信装置側の第２ノイズ除去部１７（適応フィルタ）は非適応モードに設定されている。そして、送信機側の送信信号が無信号状態になると、この無信号状態期間に対応して受信装置側の第２ノイズ除去部１７は適応モードに設定される。第２ノイズ除去部１７では、この適応モードに対応してフィルタ係数を逐次更新し、周囲雑音を除去する。次に、再び送信機側の送信信号が通信信号（所望信号）に戻ると、第２ノイズ除去部１７も非適応モードに戻る。
【００２９】
また、本実施形態では、無通信状態期間の設定条件として送信機側から無変調の搬送波（キャリア）のみが送信される状態（特定信号が無変調信号送信状態）がある。検出部１８ｂでは、この無変調信号送信状態に対応する信号のユニーク性若しくは非ユニーク性を判断して特定信号を検出する。図２（ｂ）は、特定信号が無変調信号送信状態であるときの送信機側及び受信装置側の動作を示すタイミングチャートである。ここでの動作は、図２（ａ）における無信号状態を無変調信号送信状態に読みかえれば、上記と同様であるため、その詳細な説明は割愛する。
【００３０】
さらに、本実施形態では、無通信状態期間の設定条件として一定周期で同期信号が送信される状態又は特定の既知のコードが送信される状態（特定信号が同期信号又は予め定められた所定コード）がある。検出部１８ｂでは、同期信号又は予め定められた所定コードに対応する信号のユニーク性若しくは非ユニーク性を判断して特定信号を検出する。特に、特定の既知のコードが送信される状態では、検出部１８ｂは送信機から送信されるコードと記憶部１８ｅに予め登録されている特定コードとを照合し、これらが一致したときに特定信号として検出する。なお、記憶部１８ｅには、受信装置内部のモードを制御するための各種コードが予め登録されており、この特定コードは無通信状態期間を設定するためのコードである。図２（ｃ）は、特定信号が同期信号又は所定コードであるときの送信機側及び受信装置側の動作を示すタイミングチャートである。ここでの動作は、図２（ａ）における無信号状態を同期信号又は所定コードに読みかえれば、上記と同様であるため、その詳細な説明は割愛する。
【００３１】
なお、これらいずれの方法でも特定信号を検出可能にしているのは、無通信状態期間を設定するための送信機側の汎用性を向上するためである。換言すると、送信機は、これら各方法に対応するいずれかの信号を送信できれば、ＦＳＫディジタル受信装置１０側に無通信状態期間を設定させることができる。
【００３２】
復調部１８ｄは、信号処理部１８ａからの相関信号に基づき、所望信号を復調する。そして、復調部１８ｄは、この復調信号を図示しない外部回路へと出力する。
以上詳述したように、本実施形態によれば、以下に示す効果が得られるようになる。
【００３３】
（１）本実施形態では、所望信号を連続的に受信する受信状態において、特定信号の検出期間が無通信状態期間として設定される。このとき、第２ノイズ除去部１７は、その適応モードに対応してフィルタ係数を逐次更新しつつ周囲雑音を除去する。一方、上記受信状態の無通信状態期間を除く期間では、第２ノイズ除去部１７は、その非適応モードに対応してフィルタ係数の更新を停止する。すなわち、非適応モードでは、第２ノイズ除去部１７は、適応モードにおいて周囲雑音を除去すべく更新したフィルタ係数を利用して周囲雑音を除去する。従って、所望信号を連続的に受信する環境下（受信状態）で使用される場合であっても、上記無通信状態期間を意図的に設けることで当該期間での第２ノイズ除去部１７による周囲雑音の学習が可能となる。そして、上記受信状態の無通信状態期間を除く期間では、周囲雑音及び所望信号が相関性を有していても第２ノイズ除去部１７によって周囲雑音のみが除去され、所望信号が好適に受信される。また、周囲雑音及び所望信号が相関性を有するとしても、フィルタ制御部１８ｃにより適応モード及び非適応モードを切り替え制御することでこれらの選択的な受信が可能であり、例えばこれら周囲雑音及び所望信号を個別に受信しうる回路構成を採用する場合に比べて回路規模を縮小することができる。例えば、特許文献１のような、ノイズ信号受信用アンテナ及び参照ノイズ信号出力回路を割愛することができる。
【００３４】
（２）本実施形態では、検出部１８ｂによる無信号、無変調信号、同期信号、所定コードを有する信号のいずれか１つの検出によって無通信状態期間が設定されため、多種類の特定信号による当該設定が可能となる。そして、無通信状態期間を設定するための送信機側の汎用性を向上することができる。
【００３５】
（３）本実施形態では、第１ノイズ除去部１６により相関性のない雑音を除去することができる。また、適応モードにおいて、第２ノイズ除去部１７により相関性のある雑音を除去することができる。
【００３６】
（４）例えばアナログ受信機では、帯域内に妨害波が存在する場合、所望信号は妨害波よりも大きいことが必要である。すなわち、帯域内の妨害波（雑音）が所望信号（ＦＳＫ信号）よりも大きい場合には、ＦＳＫ信号を復調することができなくなる。本実施形態では、ディジタル受信装置を採用していることで、ＦＳＫ信号よりも大きな雑音が存在する環境下であってもＦＳＫ信号の復調が可能である。
【００３７】
なお、上記実施形態は以下のように変更してもよい。
・前記実施形態において、送信機側から無通信状態期間に切り替えられる旨を受信装置側に知らせることを目的とした情報コードを送信し、これにより送信後に、無通信状態期間が一定期間で挿入されるようにしてもよい。図２（ｄ）は、送信機側から情報コードを送信するときの送信機側及び受信装置側の動作を示すタイミングチャートである。同図に示したように、送信機側の送信信号が通信信号（所望信号）のときには、受信装置側の第２ノイズ除去部１７（適応フィルタ）は非適応モードに設定されている。また、送信機側の送信信号が情報コードに切り替わった後も、第２ノイズ除去部１７（適応フィルタ）は非適応モードのままである。そして、情報コードの送信後、送信機側には無通信状態期間が一定期間で挿入される。受信装置側の第２ノイズ除去部１７は、この無通信状態期間に対応して適応モードに設定される。第２ノイズ除去部１７では、この適応モードに対応してフィルタ係数を逐次更新し、周囲雑音を除去する。次に、この無通信状態期間が終了すると、再び送信機側の送信信号が通信信号（所望信号）に戻り、第２ノイズ除去部１７も非適応モードに戻る。この場合、無通信状態期間の設定のために送信機側で特定信号を送信し続ける必要はないため、その消費電力を低減させることができる。また、受信装置側でも検出部１８ｂにおいて特定信号の検出を繰り返す必要がないため、その演算負荷を軽減できる。
【００３８】
・前記実施形態におけるディジタル受信装置のシステム構成は一例であってその他の構成を採用してもよい。
・前記実施形態においては、ディジタル受信装置としてＦＳＫディジタル受信装置を採用したが、例えばＡＳＫ（振幅変調）やＰＳＫ（位相変調）などその他のディジタル受信装置を採用してもよい。
【００３９】
・前記実施形態においては特に言及していないが、本発明に係るディジタル受信装置は車載用ディジタル受信装置としての使用が可能である。こうした車載用ディジタル受信装置としては、例えば利用者が所有する送信機との無線通信によって車両用ドアの施錠・解錠やエンジンの始動・停止を認証するいわゆる電子錠を構成するものがある。あるいは、利用者のリモコン操作を無線通信により受信してパワーウィンド装置やスライドドア装置、サンルーフ装置、身体障害者用シート装置など電動の各種装置を駆動制御するシステムに適用してもよい。要は、所望信号の受信状態において、無通信状態期間を設定し得るシステムであればよい。また、これらの技術は放送波（ＴＶ，ラジオ）など、広く無線通信に適用することが可能な技術である。
【００４０】
次に、上記実施形態及び別例から把握できる技術的思想について、それらの効果とともに以下に追記する。
（イ）請求項１乃至４のいずれか１項に記載のディジタル受信装置において、前記適応フィルタは、前記所望信号の受信待機状態において、周囲雑音の変化に伴い前記フィルタ係数が変化する適応フィルタ部と、該周囲雑音を最も低減するように該適応フィルタ部の該フィルタ係数を逐次更新するフィルタ係数更新部とを有することを特徴とするディジタル受信装置。
【００４１】
（ロ）請求項１乃至４、上記（イ）のいずれか１項に記載のディジタル受信装置において、前記適応フィルタは、相関性のない雑音を低減する第１適応フィルタと、前記フィルタ制御手段により前記適応モード及び前記非適応モードが切り替え制御され相関性のある雑音を低減する第２適応フィルタとを有することを特徴とするディジタル受信装置。この技術的思想によれば、第１適応フィルタにより相関性のない雑音が低減される。また、適応モードにおいて、第２適応フィルタにより相関性のある雑音が低減される。
【００４２】
（ハ）所望信号を連続的に受信する受信状態において、特定信号を検出する検出手段と、前記特定信号の検出後の所定期間を無通信状態期間として設定する設定手段と、前記設定された無通信状態期間において、フィルタ係数を逐次更新しつつ周囲雑音を除去する適応モードと、前記受信状態の前記無通信状態期間を除く期間において、前記フィルタ係数の更新を停止する非適応モードと、を有する適応フィルタと、前記適応フィルタの前記適応モード及び前記非適応モードを切り替え制御するフィルタ制御手段とを備えたことを特徴とするディジタル受信装置。この技術的思想によれば、所望信号を連続的に受信する受信状態において、特定信号が一旦検出されればその後の所定期間が無通信状態期間として設定される。すなわち、無通信状態期間の設定のために送信機側で特定信号を送信し続ける必要はない。上記無通信状態期間に対応して特定信号を送信した後の所定期間には、所望信号の送信を行わないように送信機側の動作を規定しておけばよい。このとき、適応フィルタは、その適応モードに対応してフィルタ係数を逐次更新しつつ周囲雑音を除去する。一方、上記受信状態の無通信状態期間を除く期間では、適応フィルタは、その非適応モードに対応してフィルタ係数の更新を停止する。すなわち、非適応モードでは、適応フィルタは、適応モードにおいて周囲雑音を除去すべく更新したフィルタ係数を利用して周囲雑音を除去する。従って、所望信号を連続的に受信する環境下（受信状態）で使用される場合であっても、上記無通信状態期間を意図的に設けることで当該期間での適応フィルタによる周囲雑音の学習が可能となる。そして、上記受信状態の無通信状態期間を除く期間では、周囲雑音及び所望信号が相関性を有していても適応フィルタによって周囲雑音のみが除去され、所望信号が好適に受信される。また、周囲雑音及び所望信号が相関性を有するとしても、フィルタ制御手段により適応モード及び非適応モードを切り替え制御することでこれらの選択的な受信が可能であり、例えばこれら周囲雑音及び所望信号を個別に受信しうる回路構成を採用する場合に比べて回路規模が縮小される。
【図面の簡単な説明】
【００４３】
【図１】本発明の一実施形態を示すシステムブロック図。
【図２】（ａ）（ｂ）（ｃ）（ｄ）は、同実施形態の動作を示すタイミングチャート。
【図３】従来例を示すブロック図。
【符号の説明】
【００４４】
１７  適応フィルタとしての第２ノイズ除去部
１８ｂ  検出手段及び設定手段としての検出部
１８ｃ  フィルタ制御手段としてのフィルタ制御部
【図１】
2005086779.tif 000003
【図２】
2005086779.tif 000004
【図３】
2005086779.tif 000005